(57)【要約】【課題】コンクリート構造物の打継ぎ部を良好に切断することができるとともに、コンクリート構造物の打継ぎ部の切断面に接着剤や止水剤を効率よく浸透させてコンクリート構造物の打継ぎ部の接着強度や止水性を高める。【解決手段】Ｕカットブレードの底部から三角形状の突起刃が設コンクリート打継ぎ部切断用の回転ブレードを用いてコンクリート打継ぎ部を切断した後、接着材または止水材を充填してコンクリート打継ぎ部を処理する。【選択図】図１
2009000919.tif 000002
【特許請求の範囲】
【請求項１】
Ｕカットブレードの底部から断面が三角形状の突起刃が設けられていることを特徴とするコンクリート打継ぎ部切断用の回転ブレード。
【請求項２】
Ｕカットブレードの底部から突起している断面が三角形状の突起刃の長さが両側のＵカットブレードより長いことを特徴とする請求項１に記載されている回転ブレード。
【請求項３】
Ｕカットブレードの底部に設けられている断面三角形状の突起刃が円周方向に不連続であることを特徴とする請求項１または２に記載されている回転ブレード。
【請求項４】
Ｕカットブレードの外周端部に複数のスリットが設けられていることを特徴とする請求項１から３のいずれかに記載の回転ブレード。
【請求項５】
請求項１から４に記載のいずれかの回転ブレードを用いてコンクリート打継ぎ部を切断した後、接着材または止水材を充填することを特徴とするコンクリート打継ぎ部の施工方法。
【請求項６】
打継ぎ部分の切断部の形状が軸方向に２０〜６０ｍｍの方形状および２〜８ｍｍの三角形状であることを特徴とする請求項５に記載のコンクリート打継ぎ部の施工方法。
【発明の詳細な説明】
【技術分野】
【０００１】
本発明はコンクリートや石材等を切断するためのＵカットブレードと該Ｕカットブレードを使用する打継ぎ部の接合方法に関するものである。さらに詳しくは、本願発明はコンクリート構造物の打継ぎ部の接合性や止水性に良好な三角突起刃を有するＵカットブレードと該ブレードを用いるコンクリート打継ぎ部の施工方法に関するものである。
【背景技術】
【０００２】
コンクリート構造物を構築する際には施工上の制約等の理由により、打継ぎ部分を設けざるを得ない場合があるが、打継ぎをする場合にはコンクリートを打ってからしばらくすると表面にコンクリートの中の微粒子成分を含んだレイタンスと呼ばれているものが浮いて出てくる。このレイタンスは強度がないためレイタンス処理をしないまま長時間放置した後コンクリートを打設すると打継ぎ部の弱い建築物が製造されることになる。そのためコンクリート打継ぎ面の処理として様々なレイタンスを除去する作業が行なわれている。たとえば、ラス型枠を用いてコンクリート打設を行いコンクリート打継ぎ面を形成する方法ではラス型枠の内側にアルカリ感応紙を張り付けてから前記ラス型枠内に打設コンクリートを充填し、該打設コンクリートが所要の硬度に達した後に、前記アルカリ感応紙の残分を高圧水で除去して脆弱部の原因となっているコンクリートノロを除くコンクリート打継ぎ面の形成方法（特許文献１）などが行なわれている。さらに、打継ぎ部の強度や防水性を高めるためにレイタンスを除去した後に接着剤を注入することも行なわれている。この打継ぎ部に接着剤を注入するに際しては、打継ぎ部の境界部分の一部を切断して接着剤を注入するが、打継ぎ部の境界部分を切断するコンクリート切断用超砥粒ブレードについては様々な形態のものがある。たとえば、騒音防止効果の優れた切断用超砥粒ブレード（特許文献２）、切断中に変形が抑止されたブレード（特許文献３）、曲面、曲線の切断加工に好適な超砥粒回転ブレード（特許文献４）、多数の開口部を穿設したブレードの面をダイヤモンド刃からなるスチフナーで補強したダイヤモンドブレード（特許文献５）等がある。
【特許文献１】特開平１１−２８０２６０号公報
【特許文献２】特開平１０−１６６２７６号公報
【特許文献３】特開平  ８−３１１８１４号公報
【特許文献４】実開平  ６−  ８５７５７号公報
【特許文献５】実開平  ５−  ７２３６５号公報
【発明の開示】
【発明が解決しようとする課題】
【０００３】
従来からコンクリート打継ぎ部分を強固に接合するとともに防水性をよくするために打継ぎ部の境界部分の一部を切断してその切断部分に接着剤や止水剤を注入する方法が一般的に行われている。そして、このコンクリート打継ぎ部分を切断するためのコンクリート切断用ブレードについても様々に改良されたものが提供されている。ただ、コンクリート切断用ブレードに関する改良の多くは切断時の防音性や耐久性や特異な形状をした砥材を埋め込んで切断性を向上するものが多い。従来からもコンクリートの切断効率を向上するために断面形状がＵ字状をしたブレードを用いて切断することなども行なわれているが、未だ十分な効果を奏するコンクリート切断用ブレードが得られていない。
【０００４】
本願発明は打継ぎ部分を効果的に切断できるとともに打継ぎ部分に接着剤や止水剤を効率的に充填できるコンクリート切断用ブレードと該コンクリート切断用ブレードを用いたコンクリート打継ぎ部分の施工方法を提供する。
【課題を解決するための手段】
【０００５】
本願コンクリート打継ぎ部切断用の回転ブレードの発明は上記の問題を解決するものとして、第１には、Ｕカットブレードの底部から断面が三角形状の突起刃を有する回転ブレードを提供する。
【０００６】
第２には、Ｕカットブレードの底部から突起している断面が三角形状の突起刃の長さが両側のＵカットブレードより長い回転ブレードを提供する。
【０００７】
第３には、Ｕカットブレードの底部に設けられている断面が三角形状の突起刃が円周方向に不連続である回転ブレードを提供する。
【０００８】
第４には、Ｕカットブレードの外周端部に複数のスリットが設けられている回転ブレードを提供する。
【０００９】
第５には、上記の回転ブレードを用いてコンクリート打継ぎ部を切断した後、接着材または止水材を充填するコンクリート打継ぎ部の施工方法を提供する。
【００１０】
第６には、切断部の形状が軸方向に２０〜６０ｍｍの方形状と２〜８ｍｍの三角形状である上記のコンクリート打継ぎ部の施工方法を提供する。
【発明の効果】
【００１１】
本願第１の回転ブレードは、Ｕカットブレードの底部から断面が三角形状の突起刃を有する構造を設けることにより、切断効率を向上させるとともにコンクリート打継ぎ部分の接着性と止水性の性能を高めることができる。
【００１２】
本願第２の回転ブレードは、上記の効果に加えてコンクリート打継ぎ部分の内部に接着性と止水性を浸入させることができる。
【００１３】
本願第３の回転ブレードは、断面が三角形状の突起刃を円周方向に不連続に設けることにより突起刃の放熱を促進して切断効率を高めることができる。
【００１４】
本願第４の〜は、Ｕカットブレードの外周端部に複数のスリットを設けることによりＵカットブレードの放熱効果を高めることができる。
【００１５】
本願第５の施工方法は、Ｕカットブレードの底部から断面が三角形状の突起刃を有する回転ブレードを用いることによりコンクリート打継ぎ部分を効果的に接着および止水することができる。
【００１６】
本願第６の施工方法は、コンクリート打継ぎ部分の切断範囲を切断部の形状が軸方向に２０〜６０ｍｍの方形状と２〜８ｍｍの三角形状に特定することによりさらに効果的に接着および止水することができる。
【発明を実施するための最良の形態】
【００１７】
本願発明はコンクリート打継ぎ部分をＵ字状に切断した後、切断部分に接着剤や止水剤を充填する打継ぎ部分の接合方法において、コンクリート切断用ブレードの断面がＵ字形状の底部に断面が三角形状の突起刃を設けることにより切断速度を高めることができるとともに打継ぎ部分の継ぎ目に沿って三角形状に切り込むことにより接着剤や止水剤を効率的に充填することを要旨とするものであるが、本願発明の態様を図１〜図４にしたがって詳しく説明する。
【００１８】
図１は本願発明のコンクリート打継ぎ部分切断用ブレードを側面図である。図１の（Ａ）はブレードを側面から見たときの図であり、（Ｂ）は（Ａ）を矢印方向から見た時の図である。（Ｂ）は本願発明のコンクリート打継ぎ部分の切断用ブレードの特徴を良く表しており、軸穴（４）に通された軸心に支持されたブレードを高速で回転することによりコンクリート打継ぎ部分をＵ字状に切断するものであるがコンクリート打継ぎ部分を切断するブレードの断面は両側の刃（１）の部分が高く中央が窪んだＵ字形状（２）が形成されている。そして、Ｕ字形状（２）の中央部の窪んだ部分から断面が三角形状の突起刃（３）が外周の両側の刃（１）より高く形成されている。図１における番号（５）および（６）はブレードにおける断面が三角形状の突起刃（３）の高さとＵ字形状（２）の両側の刃（１）の高さの関係が示されている。従来のコンクリート切断用ブレードにおけるＵカット用ブレードと称されているものは、ブレードの両側の刃（１）が高く設けられ中央が窪んだ構造でありコンクリート打継ぎ部分を効率的に切断を行うことができなかった。ところが、本願発明のコンクリート打継ぎ部分を切断するための回転ブレードは、Ｕカット用ブレードの中央が窪んだＵ字形状（２）に断面が三角形状の突起刃（３）が設けられているため効率的な切断を可能にするとともに切断部分が打継ぎ部分の継ぎ目に沿って三角形状に切り込まれていることにより接着剤や止水剤を効率的に充填することができるという特徴を有している。本願発明の特徴であるブレード外周に断面が三角形状の突起刃（３）を有するＵカット用ブレードを用いてコンクリート打継ぎ部分を切断した後、切断部分に接着剤や止水剤を充填する打継ぎ部分の施工方法を図２〜図４にしたがって説明すると、図２は旧コンクリート（７）面に新コンクリート（８）を打設した状態を示したものである。なお、図２の（Ｂ）は新コンクリート（８）を打設する前にコンクリート打継ぎ面のレイタンスを除去するための処理を行った後（９）の状態を示したものであり、図２の（Ｃ）はコンクリート打継ぎ面のレイタンスを除去した後に新コンクリート（８）を打設した状態を示したものである。また、図３はコンクリートが硬化した後に本願発明の断面が三角突起刃（３）を有するＵカット用ブレードを用いて旧コンクリート（７）と新コンクリート（８）の打継ぎ部分を切断する態様を示したものである。そして、図４の（Ａ）は断面が三角形状の突起刃（３）を有するＵカット用ブレードを用いて打継ぎ部分を切断した後の態様を模式的に示したものである。図４の（Ａ）の模式図では分かり易いように切断面（１０）がコンクリートに対して大きく画かれているが、実際の処理において行われる切断は切り込み部の長さが２０〜６０ｍｍ程度で三角形状の突起に相当する接着剤や止水剤の突起（１１）の長さ２〜８ｍｍ程度が好ましい。そして切断部に接着剤や止水剤として一般に使用されている複数のカルボキシル基を有する有機酸またはその塩とカルシウム塩やマグネシウム珪酸塩を含む鉱物とを含有する結晶増殖剤等を充填する。図４の（Ｂ）は（Ａ）の切断部（１０）に接着剤や止水剤（１３）が充填された時の接着剤や止水剤（１３）の断面形状を模式的に示したものである。このように本願発明はコンクリートの打継ぎ部分に対して、断面が三角突起（３）を有するＵカット用ブレードを用いて切断することにより接着性と止水性が良好な処理を行うことができる。
【図面の簡単な説明】
【００１９】
【図１】Ｕカットブレードの底部から三角形状の突起刃が設けられている回転ブレード（Ａ）とを矢印方向から見た回転ブレード（Ｂ）である。
【図２】旧コンクリート（７）面に新コンクリート（８）を打設する状態を示したものである。
【図３】打継ぎ部分を切断した態様を示したものである。
【図４】コンクリート打継ぎ部分を回転ブレードで切断した後（Ａ）と切断した後に充填された接着剤や止水剤を模式的に示したものである。
【符号の説明】
【００２０】
１  Ｕカットブレードの刃
２  ＵカットブレードのＵ字部分
３  三角形状の突起刃
４  軸穴
５  三角形状突起刃の長さ
６  Ｕカットブレードの長さ
７  旧コンクリート
８  新コンクリート
９  処理後のコンクリート打継ぎ面
１０  切断面
１１  接着剤または止水剤で成形された三角形状
１２  接着剤または止水剤で成形された方形状部分
【図１】
2009000919.tif 000003
【図２】
2009000919.tif 000004
【図３】
2009000919.tif 000005
【図４】
2009000919.tif 000006